【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
ユーザの足の底面にタッピング力を受動的に印加するための電動機械であって、
ハウジングと、
前記ハウジングに結合され、揺動軸を定めるように構成された軸定義機構と、
前記ユーザの足を受け止めるように位置決めされ、少なくとも１つのペダルの揺動移動のために前記揺動軸上に装着された少なくとも１つのペダルと、
前記ハウジング内に配置され、モータの出力シャフトに対する回転運動を発生させるように構成されたモータと、
前記出力シャフトに結合されて前記モータによって駆動され、前記モータによって発生した前記回転運動を前記揺動軸に関する前記少なくとも１つのペダルの往復揺動運動に変換するように構成されたペダル揺動機構と、
前記ハウジングに高さ調節可能に結合され、前記少なくとも１つのペダルの底面部分から離間して位置付けられた少なくとも１つの緩衝器と、
を含み、
前記ペダル揺動機構により与えられる前記少なくとも１つのペダルの前記往復揺動運動は、前記ペダルの底面部分を前記少なくとも１つの緩衝器に向かって行き来させるために力の積極的な付与を提供し、
前記モータ、前記ペダル揺動機構、前記少なくとも１つのペダル、及び前記少なくとも１つの緩衝器は、前記モータの作動中に、内皮に対する拍動性剪断ストレスを強めるのに十分であって有益媒介物質の放出を引き起こすほど十分な大きさである力を有する拍動性加速を前記ユーザの足の前記底面に与えるために、前記少なくとも１つのペダルの前記底面部分を前記少なくとも１つの緩衝器に対してタッピングさせるように、協働して前記ペダル揺動機構により、前記少なくとも１つのペダルへの前記力の積極的な付与を提供するように構成される、
ことを特徴とする電動機械。
【請求項２】
前記少なくとも１つのペダルは、前記ユーザの各足に対して１つずつ、２つのペダルを含み、前記少なくとも１つの緩衝器は、前記２つのペダルの各々に対して１つずつ、２つの緩衝器を含むことを特徴とする請求項１に記載の電動機械。
【請求項３】
前記２つのペダルのうちの一方の揺動が、前記２つのペダルのうちの他方の揺動と逆位相であることを特徴とする請求項２に記載の電動機械。
【請求項４】
前記２つのペダルのうちの一方の揺動が、前記２つのペダルのうちの他方の揺動と同位相であることを特徴とする請求項２に記載の電動機械。
【請求項５】
前記ペダル揺動機構は、
前記モータの前記出力シャフトに結合されたカムシャフトと、
各々が前記カムシャフトの端部に偏心して結合された２つのカムと、
各々が前記２つのペダルのうちの一方に対応し、各々が前記２つのカムのうちの一方に接触するように構成された２つのペダル結合機構であって、前記カムが、前記ペダルの前記揺動運動を引き起こすために前記カムの回転運動を前記ペダル結合機構の往復運動に変換するように前記ペダル結合機構と協働する前記２つのペダル結合機構と、
を有する、
ことを特徴とする請求項２に記載の電動機械。
【請求項６】
前記カムシャフトは、前記モータの前記出力シャフトにプーリ及びベルト機構によって結合されることを特徴とする請求項５に記載の電動機械。
【請求項７】
前記カムシャフトは、前記モータの前記出力シャフトに歯車機構によって結合されることを特徴とする請求項５に記載の電動機械。
【請求項８】
前記２つの緩衝器の前記高さ調節は、前記緩衝器に約０．１から０．５ｇのタッピング力を与えることを特徴とする請求項２に記載の電動機械。
【請求項９】
前記有益媒介物質は、
一酸化窒素、
プロスタサイクリン、
組織プラスミノーゲン活物質、
アドレノメデュリン、
ＳＩＲＴ１、
脳及び神経膠由来神経栄養因子（ＢＤＮＦ及びＧＤＮＦ）、
クルッペル様因子２、
スーパーオキシドジスムターゼ、グルタチオンペルオキシダーゼ１、カタラーゼ、全抗酸化能、及び
逆アポトーシス蛋白質：ｐ−Ａｋｔ、Ｂｃｌ２及びＢｃｌ２／Ｂａｘ、ＨＳＰ２７、
で構成される群からの少なくとも１つを含む、
ことを特徴とする請求項１に記載の電動機械。
【請求項１０】
前記内皮に対する拍動性剪断ストレスを強めるほど十分な力を有する前記ユーザへの前記拍動性加速は、
核因子カッパベータ、
エンドセリン−１、
ＳＴＡＴ３、及び
アポトーシス促進蛋白質：Ｆａｓ、ＴＲＡＩＬＲ２、Ｂａｄ、Ｃａｓｐａｓｅ３，８、  で構成される群からの少なくとも１つを含む炎症因子及び発癌促進因子を抑制するほど十分な大きさのものである、
ことを特徴とする請求項１に記載の電動機械。
【請求項１１】
前記タッピングは、血管循環、心臓、リンパ管、間質空間、骨格筋、及び骨間隙内への脈の追加、並びに血管及びリンパ管への繰り返し歪みのいくらかの増加に関連する拍動性剪断ストレスを強めるほど十分な力を有する拍動性加速を前記ユーザに与えることを特徴とする請求項１に記載の電動機械。
【請求項１２】
前記タッピングは、血管、心臓、及び骨格筋における内皮一酸化窒素シンターゼ（ｅＮＯＳ）の活性及び含有量を高めるのに、並びに前記心臓及び骨格筋における神経細胞一酸化窒素シンターゼ（ｎＮＯＳ）の活性を高めるのに十分な力を有する拍動性加速を前記ユーザに与えることを特徴とする請求項１に記載の電動機械。
【請求項１３】
１回の持続時間が約１０から３０分又はそれよりも長い１回又は複数回のセッションの後の請求項１記載の電動機械を用いた治療の効果を測定する方法であって、
ａ）指及び／又は耳の上に置かれたフォトプレチスモグラフィセンサを用いて生動脈脈波形を提供するいずれかの非侵襲的又は侵襲的技術からの脈波形のダイクロティックノッチの下降、及び／又は
ｂ）治療の後に数分間続く血圧の降下、
のうちの１つ又はそれよりも多くにより、前記循環内への一酸化窒素の放出を感知することを含み、
前記血圧は治療中の治療の終了時にベースラインから測定される、
ことを特徴とする請求項１から請求項８のいずれか１項に記載の電動機械。
【請求項１４】
前記モータは、ＤＣブラシレスモータであることを特徴とする請求項１に記載の電動機械。
【請求項１５】
前記モータに電力を供給するための入力を更に含むことを特徴とする請求項１に記載の電動機械。
【請求項１６】
請求項２に記載の電動機械を使用する治療の方法であって、
脈が与えられない期間中であっても有益媒介物質の生体利用性が作動前期間よりも高いように、フットペダルによる緩衝器の衝突を用いて、身体の体液が満たされたチャネルに前記身体の独自の脈の上に脈を反復的に追加し、かつ繰り返し歪みの増大を最小限にする段階、
を含むことを特徴とする方法。
【請求項１７】
請求項２に記載の電動機械を使用する治療の方法であって、
フットペダルによる緩衝器の衝突を用いて、一酸化窒素、プロスタサイクリン、組織プラスミノーゲン活物質（ｔ−ＰＡ）、アドレノメデュリン、内皮依存性過分極因子（ＥＤＨＦ）、内皮依存性弛緩因子、内皮増殖因子、及び転写因子のうちの少なくとも１つの内皮放出を刺激するのに十分な脈を身体の体液が満たされたチャネルに前記身体の独自の脈の上に追加する段階、
を含むことを特徴とする方法。
【請求項１８】
請求項２に記載の電動機械を使用する治療の方法であって、
フットペダルによる緩衝器の衝突を用いて、血管、心臓、及び骨格筋における内皮一酸化窒素シンターゼ（ｅＮＯＳ）の活性及び含有量を高めるのに、並びに前記心臓及び骨格筋における神経細胞一酸化窒素シンターゼ（ｎＮＯＳ）の活性を高めるのに十分な脈を身体の体液が満たされたチャネルに前記身体の独自の脈の上に追加する段階、
を含むことを特徴とする方法。
【請求項１９】
前記追加脈によってもたらされる拍動性剪断ストレスによって刺激されるｅＮＯＳからの一酸化窒素の放出が、動脈硬化において発生するような損傷血管内皮において修復的役割を演じる内皮前駆細胞及びＣＤ３４細胞の骨髄から前記循環内への放出を増加させることを特徴とする請求項１８に記載の方法。
【請求項２０】
前記追加脈によってもたらされる拍動性剪断ストレスによって刺激される神経細胞一酸化窒素合成（ｎＮＯＳ）の活性化が、心拍数によって測定される迷走神経緊張度を高めることを特徴とする請求項１８に記載の方法。
【請求項２１】
前記フットペダルは、前記モータによって揺動運動に駆動される時に、前記足板の一端が約３．１６センチ（１．２５インチ）能動的に上昇及び降下し、他端が前記揺動軸の周りのピボット点として機能し、前記２つのフットペダルが前記水平面上で約３０センチ（１２インチ）離間して設定された状態で、前記足を往復正弦波上下運動で受動的に移動させるように構成されることを特徴とする請求項２に記載の電動機械。
【請求項２２】
ベッドに横たわっているユーザによる機械の使用を可能にするように垂直支持体上への機械の装着を容易にするために機械の前記底面に配置された装着ブラケットを更に含むことを特徴とする請求項１に記載の電動機械。